(57)【特許請求の範囲】
【請求項１】
前側に配置されて安定器を内蔵した安定器ボックスを有しこの安定器ボックスの後側に配置されたランプを装着するランプソケットを有しかつ前記安定器ボックスの下面に形成されたコネクタ収納凹部を有して上面が棚下面の前側に位置するように取付けられる器具本体と、前記コネクタ収納凹部を通して内部から引き出した器具内側コネクタを収納するともにこの器具内側コネクタに接続される電源線側コネクタを収納する収納部を有し前記電源線側コネクタのリード線を張力止めする張力止め部を有して前記コネクタ収納凹部内に着脱自在に埋設されたコネクタカバーとを備えた棚下照明器具。
【請求項２】
前記器具本体は、前記電源線側コネクタのリード線を横方向に引き出すための第１の案内溝を端部に有するとともに、前記リード線を前記器具本体の横方向端部と前記ランプソケットとの間から後方向に引き出すための第２の案内溝を有する請求項１記載の棚下照明器具。
【発明の詳細な説明】
【０００１】
【発明の属する技術分野】
この発明は、棚下照明器具に関するものである。
【０００２】
【従来の技術】
棚板の下面の前側に取付けられた従来の棚下照明器具を図１２ないし図１６に示す。すなわち、図１２はランプ１００が器具本体１０５の前側に配置され、安定器１０１が器具本体１０５の後側に配置されている状態を示す。１０３は安定器ボックスの後側より引き出した電源線である。
【０００３】
図１３はその平面図であり、１０４は送り用コンセントである。
図１４は棚下照明器具１０６を棚１０７の棚下に設置された場合の配光曲線を示している。斜線部分Ｐが無駄な光となっている。
図１５は棚下照明器具の斜視図であり、１０８はブラケットに引っ掛けるためのスライド金具、１０９は木ビス取付用穴である。
【０００４】
図１６は什器のガラス棚の平面図であり、棚下照明器具１０６のスライド金具１０８がブラケット１１０に引っ掛けられて取付けられている。１１１は送り線である。
【０００５】
【発明が解決しようとする課題】
しかし、この棚下照明器具は、ランプ１００の後ろに安定器１０１があるため、棚後方への光が遮られ、棚板面および什器壁面の照度が低くなり、一方図１４に示すように前方への無駄な光のため前面からみた場合に不快なグレアを生じていた。
【０００６】
また電源線１０３は左右の一方からしかとることができず、什器側の電源供給部は照明器具の左右どちらにあるかわからないため、電源線１０３の引回しが大変であった。
また図１６に示すように、ガラス棚の場合電源線１０３や送り線１１１の処理が見苦しく見えるという欠点があった。
【０００７】
さらに木ビス取付用穴１０９が灯具側にあったため、照明器具を木棚にビス止めするときランプ１００を外さなければならず、これをガラス棚で使用した場合、木ビス取付用穴１０９から光漏れする問題がある。
この従来例に対して、安定器１０１をランプ１００の前側に配置することが提案されたが、電源線を安定器の後面から引き出すことができず、また電源線を安定器の下部から引き出すと、配線が陳列品の邪魔になり、また棚の奥方が見えにくいという欠点があった。
【０００８】
したがって、この発明の目的は、安定器側を薄形化できるとともに、照度を向上しかつ均一化できるとともに前から見たグレアカットが可能であり、かつ施工容易な棚下照明器具を提供することである。
【０００９】
【課題を解決するための手段】
請求項１の棚下照明器具は、前側に配置されて安定器を内蔵した安定器ボックスを有しこの安定器ボックスの後側に配置されたランプを装着するランプソケットを有しかつ前記安定器ボックスの下面に形成されたコネクタ収納凹部を有して上面が棚下面の前側に位置するように取付けられる器具本体と、前記コネクタ収納凹部を通して内部から引き出した器具内側コネクタを収納するともにこの器具内側コネクタに接続される電源線側コネクタを収納する収納部を有し前記電源線側コネクタのリード線を張力止めする張力止め部を有して前記コネクタ収納凹部内に着脱自在に埋設されたコネクタカバーとを備えたものである。
【００１０】
請求項１の棚下照明器具によれば、安定器を前側に配置しランプを安定器の後側に配置したため、従来例と比較して棚板面および什器壁面の照度が向上できるとともに、均一化することができ、しかも正面からみた時の不快なグレアをなくすことができる。また器具内側コネクタと電源線側コネクタを接続することにより給電するため配線接続が容易になり、これらのコネクタをコネクタカバーの収納部に収納し電源線側コネクタのリード線を張力止めしたため施工容易になり、さらに安定器ボックスの下面にコネクタ収納凹部を形成しコネクタカバーを着脱自在に埋設したため器具高さを薄形化することができる。
【００１１】
請求項２の棚下照明器具は、請求項１において、前記器具本体が、前記電源線側コネクタのリード線を横方向に引き出すための第１の案内溝を端部に有するとともに、前記リード線を前記器具本体の横方向端部と前記ランプソケットとの間から後方向に引き出すための第２の案内溝を有するものである。
請求項２の棚下照明器具によれば、請求項１の効果のほか、たとえばガラス棚に設置された場合で、器具側部とブラケットが少し離れるときや隣の器具に送る場合は第１の案内溝を利用して電源線を出すことにより、また器具側部近くにブラケットが位置する場合は第２の案内溝を利用して電源線を出すことにより見苦しくなく配線することができる。
【００１２】
【発明の実施の形態】
この発明の一実施の形態を適用した什器を図１ないし図１１を示す。まず、図９において、１は什器サポート、２はブラケット、３はガラス棚、４は木棚、５は線状コンセント、６は棚下照明器具、７はマルチタップ、８は電源線、９は送り線、１０はガラス棚下等に取付ける際に棚下照明器具６をブラケット２に引っ掛けるスライド金具である。
【００１３】
図１は、棚下照明器具６の構成を示すもので、器具本体１１と、コネクタカバー４０とを有する。器具本体１１は、前側に配置されて安定器（図示せず）を内蔵した安定器ボックス１２を有し、この安定器ボックス１２の後側に配置された直管蛍光ランプを用いたランプ１３を装着するランプソケット１４を有し、かつ安定器ボックス１２の下面に形成されたコネクタ収納凹部１５を有して、上面が棚下面の前側に位置するように取付けられる。
【００１４】
コネクタカバー４０は、コネクタ収納凹部１５を通して内部から引き出した器具内側コネクタ１６を収納するとともに、この器具内側コネクタ１６に接続される電源線側コネクタ１７を収納する収納部１８を有し、器具内側コネクタ１６および電源線側コネクタ１７のリード線１９，２０を張力止めする張力止め部２１を有してコネクタ収納凹部１５内に着脱自在に埋設されている。実施の形態では器具内側コネクタ１６が受け側で電源線側コネクタ１７が差込み側となっており、張力止め部２１は各リード線１９，２０に設けた係止部２３と、コネクタカバー４０の収納部１８の端部に形成して係止部２３が係止するリード線挿通部２４とで構成している。２５はリード線１９，２０をリード線挿通部２４に通すための切欠である。またコネクタカバー４０をコネクタ収納凹部１５内に着脱自在に固定するため、コネクタカバー４０の側部に取付凹部２７を形成し、取付凹部２７に係止する突起２８をコネクタ収納凹部１５内に突設している。
【００１５】
図２は棚下照明器具６の取付けを示し、木ビス２９を通す木ビス取付用穴３０をコネクタ収納凹部１５の底部に形成し、この木ビス２９を木ビス取付用穴３０に通し木棚４にねじ込み、器具本体６の上端を木棚４の下面に当接して取付ける。そして、手順的には図１（ｃ）の状態に電源線側コネクタ１７のリード線２０をコネクタカバー４０の一端の張力止め部２１のリード線挿通部２４に通し、同図（ｂ）のように器具内側コネクタ１６のリード線１９を反対側のリード線挿通部２４に通し、コネクタ同士を接続し、コネクタカバー４０内に収納し、同図（ａ）および図２（ｂ）のようにコネクタカバー４０を裏返し、図２（ａ）のようにコネクタ収納凹部１５内に嵌め、押し込んで突起２８に取付凹部２７を係止する。
【００１６】
また、図１および図２において、器具本体６は、電源線側コネクタ１７のリード線２０を横方向に引き出すための第１の案内溝３２を端部に有するとともに、リード線２０を器具本体１１の横方向端部とランプソケット１４との間から後方向に引き出すための第２の案内溝３３を有しており、図２（ａ）ではリード線２０が第１の案内溝より引き出されている。
【００１７】
図３は、器具内側コネクタ１６と電源線側コネクタ１７が接続されてコネクタカバー４０に収納された状態である。
図４は、器具本体１１の構成を示し、平板を略Ｚ字形に折曲した器具本体部３６と、この器具本体部３６に被さる略Ｌ字形のカバー部３７からなっており、前端部はカバー部３７の垂下部３７ａが器具本体部３６の前端に当たり、カバー部３７の後端部の折返し部３８に器具本体部３６の後端が入り込んでいる。器具本体部３６とカバー部３７の結合手段は省略している。そして器具本体部３６とカバー部３７とにより器具本体１１の前側に安定器ボックス１２を形成するとともに、器具本体部３６によりランプ１３に対する反射板を形成している。
【００１８】
図５は、この棚下照明器具６による配光曲線を示している。図５のようにランプ１３が安定器カバー１２の後ろ側に位置しているため、図１４と比べて棚面の照度が均一かつ大きくなっていることがわかる。
図６は、器具本体部３６にランプソケット１４を取付けた状態である。器具本体部３６の左右方向の両端にランプソケット１４を通すための開口４３を形成するとともに、開口４３の安定器ボックス１２の後側壁となる部分にソケット取付部４４を突出している。４５はソケット付け根部１４ａを逃げるための切欠である。一方ランプソケット１４は、ソケット付け根部１４ａの両側にソケット取付部４４が係合する一対の取付溝４６を形成し、取付溝４６を介して側部より外方に凸部４５を設け、凸部４５のランプソケット１４の差込み方向の両端を、ランプソケット１４の端面よりも、器具本体部３６の厚さ分の段４７を形成するように後退している。
【００１９】
図７は、ランプソケット１４が器具本体１１に取付けられた状態を示し、ランプソケット１４を開口４３に差し込む方向に挿入し、取付溝４６をソケット取付部４４に係合するとともに、ランプソケット１４のソケット付け根部１４ａの端部が切欠４５に進入し、凸部４５の端面が器具本体部３６の内面に当たる。このとき、ランプソケット１４の開口４３が丁度埋まるように、ランプソケット１４の最大高さ寸法Ｙと器具本体部３６の最大高さ寸法Ｘを等しくしている。これにより器具本体部３６の高さを薄くすることが可能となる。
【００２０】
図８は、ランプ１３と電源線側リード線２０および送り線用リード線２０′の配線を示している。ランプ１３の光源長さＬ1 であり、光源必要長さＬ2 はランプソケット１４を含む長さであり、Ｌ3 は器具全長である。またコネクタ収納凹部１５が器具本体１１の両端に有し、それぞれに器具内側コネクタ１６が引き出され、これに対して電源線側コネクタ１７が接続できるようになっている。この図では電源線側コネクタ１７を接続した電源線側リード線２０を左側の器具内側コネクタ１６に接続し、右側の器具内側コネクタ１６に送り側リード線２０′の両端に設けた電源線側コネクタ１７の一方を接続するようにしている。ただし、リード線２０，２０′は設置場所に応じて左右のいずれかを選択するものとする。
【００２１】
図１０（ａ）は、棚下照明器具６に接続した電源線側リード線２０を第２の案内溝３３に通した状態であり、器具側面にブラケット２が位置する場合に適用している。同図（ｂ）は電源側リード線２０を第１の案内溝３２に通した状態であり、この場合は器具側面とブラケット２とが離れている場合や送り側リード線２０′を接続する場合に適用している。なお、第１の案内溝３２は器具本体１１の両端に進退自在に設けたスライド金具１０の下部に設けられるようにしている。
【００２２】
図１１は、ガラス棚の棚下照明器具６を示している。器具本体１１の両端から引き出したスライド金具１０をブラケット２に引っ掛けて保持し、右側の棚下照明器具６の隣接側と反対側の端部から引き出した電源側リード線２０をブラケット２に沿わせ、また隣接側端部から引き出した送り用リード線２０′はスライド金具１０の下側を通って隣の棚下照明器具６の隣接部に配線され、その棚下照明器具６隣接側と反対側の端部から送り用リード線２０′が引き出されブラケット２に沿って配線されている。
【００２３】
この実施の形態によれば、安定器を前側に配置しランプ１３を安定器の後側に配置したため、従来例と比較して棚板面および什器壁面の照度が向上できるとともに、均一化することができ、しかも正面からみた時の不快なグレアをなくすことができる。また器具内側コネクタ１６と電源線側コネクタ１７を接続することにより給電するため配線接続が容易になり、これらのコネクタをコネクタカバー４０の収納部１８に収納し電源線側コネクタ１７のリード線２０を張力止めしたため施工容易になり、さらに安定器ボックス１２の下面にコネクタ収納凹部１５を形成しコネクタカバー４０を着脱自在に埋設したため器具高さを薄形化することができる。
【００２４】
またたとえばガラス棚３に設置された場合で、器具側部とブラケット２が少し離れるときや隣の器具に送る場合は第１の案内溝３２を利用して電源線を出すことにより、また器具側部近くにブラケット２が位置する場合は第２の案内溝３３を利用して電源線を出すことにより見苦しくなく配線することができる。最適方向に電源線を出すことことにより電源線処理を美しくすることもできる。
【００２５】
また、コネクタカバー４０にリード線２０の張力止めを設け、コネクタカバー４０をコネクタ収納凹部１５に着脱自在に収納したため、リード線２０に外力が加わってコネクタカバー４０がコネクタ収納凹部１５から外れることがあっても、コネクタに張力がかからず、接続が外れたりしないので施工性が向上し、施工しやすい。
【００２６】
また、図８に示すようにコネクタ収納凹部１５を左右に設け、同じ構造の器具内側コネクタ１６を設けることにより、左右どちらからでも電源をとったり、送ったりできる。さらに電源線の取り出しやコネクタ等で光源の長さを短くすることなく、また灯部はできるだけ器具全長に対して端から端まで光源があるようにしているので、小型化が図れる。
【００２７】
さらにコネクタ収納凹部１５内に木ビス取付用穴３０を設けているため、ランプ１３を外す必要なく器具を取付けることができ、また従来の光漏れがない。
なお、リード線２０はリード線挿通部２４に引き出し可能に挿通したが、コネクタカバー４０に固定してもよい。
【００２８】
【発明の効果】
請求項１の棚下照明器具によれば、安定器を前側に配置しランプを安定器の後側に配置したため、従来例と比較して棚板面および什器壁面の照度が向上できるとともに、均一化することができ、しかも正面からみた時の不快なグレアをなくすことができる。また器具内側コネクタと電源線側コネクタを接続することにより給電するため配線接続が容易になり、これらのコネクタをコネクタカバーの収納部に収納し電源線側コネクタのリード線を張力止めしたため施工容易になり、さらに安定器ボックスの下面にコネクタ収納凹部を形成しコネクタカバーを着脱自在に埋設したため器具高さを薄形化することができる。
【００２９】
請求項２の棚下照明器具によれば、請求項１の効果のほか、たとえばガラス棚に設置された場合で、器具側部とブラケットが少し離れるときや隣の器具に送る場合は第１の案内溝を利用して電源線を出すことにより、また器具側部近くにブラケットが位置する場合は第２の案内溝を利用して電源線を出すことにより見苦しくなく配線することができる。
【図面の簡単な説明】
【図１】この発明の一実施の形態の電源線の接続過程の一部を説明する説明図である。
【図２】電源線の接続終了状態を説明する説明図である。
【図３】電源線側コネクタおよび器具内側コネクタを収納したコネクタカバーの平面図である。
【図４】器具本体の断面図である。
【図５】配光曲線を示す説明図である。
【図６】ランプソケットの取付けを説明する部分分解斜視図である。
【図７】ランプソケットの取付け状態の断面図である。
【図８】器具内側コネクタおよび電源線側コネクタと器具本体とを示す説明図である。
【図９】什器の部分斜視図である。
【図１０】電源線の引き出しの２種類の態様を説明する説明図である。
【図１１】ガラス棚に棚下照明器具を設置した状態の平面図である。
【図１２】従来例の断面図である。
【図１３】その平面図である。
【図１４】その配光曲線である。
【図１５】従来例の斜視図である。
【図１６】ガラス棚に従来の棚下照明器具を設置した状態の平面図である。
【符号の説明】
１１    棚下照明器具
１２    安定器ボックス
１３    ランプ
１４    ランプソケット
１５    コネクタ収納凹部
１６    器具内側コネクタ
１７    電源線側コネクタ
１８    収納部
２１    張力止め部
３２    第１の案内溝
３３    第２の案内溝
４０    コネクタカバー
【図１】
0003677914.tif 000002
【図２】
0003677914.tif 000003
【図３】
0003677914.tif 000004
【図４】
0003677914.tif 000005
【図５】
0003677914.tif 000006
【図６】
0003677914.tif 000007
【図７】
0003677914.tif 000008
【図８】
0003677914.tif 000009
【図９】
0003677914.tif 000010
【図１０】
0003677914.tif 000011
【図１１】
0003677914.tif 000012
【図１２】
0003677914.tif 000013
【図１３】
0003677914.tif 000014
【図１４】
0003677914.tif 000015
【図１５】
0003677914.tif 000016
【図１６】
0003677914.tif 000017